(57)【要約】【課題】本発明は、工場などで様々な液体を流す配管や工場建屋の天井に、損傷や亀裂が生じて、液体が漏れ出した場合に、その異常事態を早期に発見するとともに、不具合箇所を速やかに特定することができる漏水処理装置を提供することを目的とするものである。【解決手段】本発明は、山部と谷部とが傾斜部２０ａを介して連続結合する波板からなるドレンパン２０と、このドレンパン２０を所定位置に支持する支持具８とを備え、ドレンパン２０を透明あるいは半透明の透過性材料で形成するというものである。【選択図】図１
2007132032.tif 000002
【特許請求の範囲】
【請求項１】
山部と谷部とが傾斜部を介して連続結合する波板からなるドレンパンと、
このドレンパンを所定位置に支持する支持具とを具備し、前記ドレンパンを透明あるいは半透明の透過性材料で形成したことを特徴とする漏水処理装置。
【請求項２】
平面にて形成した傾斜部の一端を結合して略Ｖ字状部を形成し、この略Ｖ字状部を複数連続して結合したドレンパンと、
このドレンパンを所定位置に支持する支持具とを具備し、前記ドレンパンを透明あるいは半透明の透過性材料で形成したことを特徴とする漏水処理装置。
【請求項３】
前記ドレンパンは、隣接する前記略Ｖ字状部の間に、平面にて形成した山部または谷部のいずれか一方を設けたことを特徴とする請求項２に記載の漏水処理装置。
【請求項４】
前記ドレンパンは、隣接する前記傾斜部の間に、平面にて形成した山部および谷部を設けたことを特徴とする請求項２に記載の漏水処理装置。
【請求項５】
少なくとも前記谷部のいずれか１つに漏水を検知する漏水センサーを設けたことを特徴とする請求項１から４のいずれか一項に記載の漏水処理装置。
【請求項６】
前記漏水センサーを、敷設する前記ドレンパン上に所定間隔毎に設け、漏水の有無を前記所定間隔毎に検知する請求項５に記載の漏水処理装置。
【請求項７】
一端を他端より水平方向下方となるように設置した前記ドレンパンの一端側端部に、前記ドレンパン上を流れてきた漏水を集約する樋を設け、この樋に漏水センサーを設けたことを特徴とする請求項１から４のいずれか一項に記載の漏水処理装置。
【請求項８】
請求項１から７のいずれか一項に記載の漏水処理装置に用いる設置方法であって、ドレンパン群上を流れる液体が上流から下流へと流れるように、敷設するドレンパンの一端を他端より水平方向下方に配置し、下流側ドレンパンの他端と上流側ドレンパンの一端とを重ねるように配置することを特徴とする漏水処理装置の設置方法。
【請求項９】
隣接するドレンパンを水平方向に所定の角度を有するように敷設し、上流側ドレンパンの端部を下流側ドレンパンの所定の谷部上方に配置したことを特徴とする請求項８に記載の漏水処理装置の設置方法。
【発明の詳細な説明】
【技術分野】
【０００１】
本発明は、工場建屋の天井から滴り落ちる液体や、工場などで用いられる液体材料を供給する配管から液漏れした場合の液体を受ける漏水処理装置に関するものである。
【背景技術】
【０００２】
従来、天井構造物から滴り落ちる液体より室内に配置された物品を保護するために、天井構造物の真下に防水板（本発明でいう「ドレンパン」）を吊下げ、この防水板にて受けた漏水滴を梁に設けた梁用樋に落下回収し、さらにこの水滴を柱に設けた回り樋に流して回収し、排水せしめるようにしたものが提案されている（例えば、特許文献１参照）。
【０００３】
また、一般的な事例として、建屋内の液体材料や種々の溶液を供給する配管の下部には、図１６に示すように、板金両端をＬ字状に加工したドレンパン１を設けている。
【０００４】
図示した状態において、配管２から漏れ出た液体（図示せず）はドレンパン１に受け止められるので、配管２の下部に配置した物品に漏れ出た液体が掛かることは防止できている。
【０００５】
さらに従来は、配管自体に帯状の漏水センサーを添設し、配管の漏水をリアルタイムに検知するものも知られている（例えば、特許文献２参照）。
【特許文献１】特開昭５９−９８９４３号公報
【特許文献２】特開平１１−６７８１号公報
【発明の開示】
【発明が解決しようとする課題】
【０００６】
しかしながら上記従来の技術では、次のような課題を有していた。
【０００７】
すなわち、滴り落ちる液体や漏れ出した液体が少量の場合、液体は、この液体を受けるドレンパンが平面であるので、液体が持つ表面張力のためにドレンパン上で広がることとなる。
【０００８】
つまり、その場に留まることになってしまい、場合によっては、そのまま蒸発に至ることさえある。
【０００９】
従って、例えば、従来技術で示すコンクリートの亀裂や、配管の損傷が比較的軽微な状態では、漏れ出る液体の量が少量であるので、上記ドレンパン上を流れ出すために必要な液量を確保できず、結果として早期に液漏れを発見することができないという課題を有していた。
【００１０】
また、上述した板金は、工場などの建屋において、初期のレイアウトに対応して１案件ごとの特別注文で作られるために、例えば、建屋内の設備レイアウトが変更となった場合、その設備レイアウトに応じて新たに作り直すこととなっていた。
【００１１】
その結果、自由なレイアウト変更を行おうとした場合、従来使用していたドレンパンが使用できなくなり、逆に、従来使用していたドレンパンの活用に固執した場合、当初目的であるレイアウト変更に制限を設けることになるという課題を有していた。
【００１２】
また、当初目的であるレイアウト変更を優先した場合、従来使用していたドレンパンが不要となり、廃棄することとなる一方で、新たなドレンパンを作る費用と時間が必要となるという課題を有していた。
【００１３】
さらに、特許文献２に記載の技術では、各配管に漏水センサーを設ける必要があり、設置する配管の本数分の漏水センサーが必要となっていた。
【００１４】
しかも、配管長が長い場合には、いずれの場所で漏水が発生したかを特定することが困難であり、折角、漏水に気付いても、その修復に時間が掛かるという課題を有していた。
【００１５】
そこで本発明は、このような課題を解決するものであり、透明あるいは半透明の透過性材料で形成した波板でドレンパンを構成することにより、レイアウト変更に柔軟に対応でき、しかも天井や配管に不具合が発生した場合に、早期発見が可能となる漏水処理装置を提供するものである。
【課題を解決するための手段】
【００１６】
本発明は、上記目的を達成するために、山部と谷部とが傾斜部を介して連続結合する波板からなるドレンパンと、このドレンパンを所定位置に支持する支持具とを具備し、ドレンパンを透明あるいは半透明の透過性材料で形成するというものである。
【００１７】
本構成とすることにより、天井や配管に生じた亀裂や損傷から漏れ出た液体が少量でも、ドレンパン上に落ちた液体が傾斜部を滑って谷部に集まり、大きな滴を形成しやすくなるというものである。
【００１８】
しかも、このドレンパンを複数枚用いて流路を構築するようにした場合、敷設した施設でレイアウト変更が発生しても、漏水処理装置の組み換え、あるいは並び替えを容易に行うことができる。
【発明の効果】
【００１９】
本発明の漏水処理装置によれば、天井や配管から漏れ出た微量な液体量でも、液体が傾斜部を滑ることで大きな滴を形成しやすくなり、ドレンパン上を流れる流れを構築しやすくなる。
【００２０】
しかも、透明あるいは半透明の透過性材料を使用しているため、ドレンパン下方からドレンパンを透かして、天井や配管などのドレンパン上方の様子が目視可能となり、不具合箇所の特定と状況が把握できるため、修理に必要な対応を手配し易くなる。
【００２１】
また、配設した施設のレイアウト変更にも容易に対応できるため、レイアウト設計に制約を加えることもなく、廃棄するドレンパンを最小限に止めることが可能となる。
【発明を実施するための最良の形態】
【００２２】
本発明の実施の形態は、
山部と谷部とが傾斜部を介して連続結合する波板からなるドレンパンと、
このドレンパンを所定位置に支持する支持具とを具備し、ドレンパンを透明あるいは半透明の透過性材料で形成するというものである。
【００２３】
本構成とすることにより、天井や配管に軽微な損傷が発生し、微量な液漏れが発生する早期段階でも、傾斜部に落下した液体が、傾斜部底部に集まり大きな滴を形成することで、液体が流れ易くなる、というものである。
【００２４】
しかも、透明あるいは半透明の透過性材料を用いているため、ドレンパンを透かして天井や配管の様子を確認することが可能となる、というものである。
【００２５】
その結果、損傷箇所付近の作業者への異常発生の気付きを促すことができる。
【００２６】
また本発明の他の実施の形態は、平面にて形成した傾斜部の一端を結合して略Ｖ字状部を形成し、この略Ｖ字状部を複数連続して結合したドレンパンと、このドレンパンを支持する支持具とを具備し、ドレンパンを透明あるいは半透明の透過性材料で形成するというものである。
【００２７】
本構成とすることにより、落下した微量な液体量でも傾斜部を滑り落ちることにより、略Ｖ字状部底部にて大きな滴を作り易くなる。
【００２８】
さらに、本発明の他の実施の形態は、ドレンパンの隣接する前記略Ｖ字状部の間、あるいはこの略Ｖ字状部を構成する傾斜部間に、平面にて形成した山部または谷部の少なくともいずれか一方を設けたものである。
【００２９】
本構成とすることにより、水平方向に平面を設けることで、ドレンパンを透かしてドレンパンの反対側を見たときに、特にその視認性が向上する。
【００３０】
特に、谷部に平面を設けた場合、傾斜部と傾斜部との間に狭隘な部分が生じなくなり、漏れた液体の流路を妨げる詰まりなどの発生を抑制することが可能となる。
【００３１】
さらに本発明の実施の形態は、上記の実施の形態に加え、少なくとも谷部のいずれか１つに漏水を検知する漏水センサーを設けるというものである。
【００３２】
つまり、天井や配管などに生じた漏水がドレンパン上に落下した場合、ドレンパンに設けた傾斜部上を液体が滑り落ち、大きな滴を形成することになる。
【００３３】
その結果、上述した構成により、流れ易くなった大きな滴が谷部を流れるため、漏水センサーでの液漏れ検知が容易となり、天井や配管に不具合が生じていることを発見しやすくなる。
【００３４】
さらに本発明の他の実施の形態は、敷設するドレンパン上に漏水センサーを所定間隔毎に設け、漏水の有無を所定間隔毎に検知するというものである。
【００３５】
本構成とすることにより、敷設する配管長さに係わらず、所定間隔毎のブロック単位にて漏水発生の有無を監視することが可能となる。
【００３６】
その結果、漏水センサーが漏水を発見した場合、配管のいずれの場所にて発生したかをブロック単位で検知することができるため、どんなに配管が長くても、不具合発生箇所を所定の範囲に絞り込むことが可能となり、亀裂などの不具合要因を容易に特定することができる。
【００３７】
従って、補修、交換などの修復作業が速やかに実施できる。
【００３８】
つぎに本発明の他の実施の形態は、一端を他端より水平方向下方となるように設置したドレンパンの一端側端部に、ドレンパン上を流れてきた漏水を集約する樋を設け、この樋に漏水センサーを設けるというものである。
【００３９】
本構成とすることにより、漏水が発生した場合には、樋に滴が流れ込むため、樋に漏水センサーを設けておけば、漏水の発生を検知することができる。
【００４０】
すなわち、配管が複数本設置されていたとしても、樋に少なくとも1つの漏水センサーを設けることにより、漏水の発生を検出できるので、漏水センサーおよびその周辺装置の設置を少なくすることができる。
【００４１】
次に、本発明の他の実施の形態は、配管から漏れた液体を上流から下流へと流れるように、隣接するドレンパンの接続部を上流側が下流側よりも上側になるように重ねるようにしたものである。
【００４２】
具体的には、ドレンパン群上を流れる液体が上流から下流へと流れるように、敷設するドレンパンの一端を他端より水平方向下方に配置し、下流側ドレンパンの他端と上流側ドレンパンの一端とを重ねるように配置するというものである。
【００４３】
このようにドレンパンを接続することで、漏れ出た液体が上流から下流へ流れることが生じた場合、この接続部の隙間に対して液体が流入することがないので、当該接続部から液体が漏れることはない。
【００４４】
すなわち、このように配置することにより、ドレンパン同士の接続部に対して、特別な工夫を施さなくても当該箇所からの液漏れが生じることはない。
【００４５】
しかも、所定長さのドレンパンを組替えることで様々なレイアウトに対応した漏水処理装置を設置することができる。
【００４６】
さらに、本発明の他の実施の形態は、隣接するドレンパンを水平方向に所定の角度を有するように敷設し、上流側ドレンパンの端部を下流側ドレンパンの所定の谷部上方に配置するというものである。
【００４７】
このように設置することにより、漏水が発生した場合には、所定の谷部に滴が流れ込むため、この所定の谷部に漏水センサーを設けておけば、漏水の発生を検知することができる。
【００４８】
すなわち、配管が複数本設置されていたとしても、所定の谷部に少なくとも1つの漏水センサーを設けることにより、漏水の発生を検出できるので、漏水センサーおよびその周辺装置の設置を少なくすることができる。
【実施例】
【００４９】
以下、本発明の実施例について図面を参照しながら説明する。
【００５０】
（実施例１）
図１に、略Ｖ字状部を連続連結した波板を用いた場合の斜視組立図、図２に、当該波板を用いた場合の平面図を示す。
【００５１】
図に示すように、まず、求められるレイアウト（図示せず）に対して、ドレンパン５（５ａ〜５ｃ）を載せるドレンパン台６（６ａ〜６ｃ）と吊下げ金具７（７ａ〜７ｃ）からなる支持具８が所定の位置に設けられる。
【００５２】
この吊下げられた支持具８ａ〜８ｃに対して、各々の支持具間を連結するようにドレンパン５ａ、ドレンパン５ｂ、・・・と設置する。
【００５３】
このとき、最下流となるドレンパン５ａの一端には、流れてきた液体を受ける樋９が設けてあり、他端はこの一端より水平方向上方となるように若干の傾斜を有するように設けている。
【００５４】
このドレンパン５ａの上流側に隣接して設けられるドレンパン５ｂも、ドレンパン５ａ同様、下流側にあたる一端の方が、上流側の他端よりも水平方向下方となるように配される。このとき、ドレンパン５ａとドレンパン５ｂとの重なりを所定量（例えば、１０ｃｍ）確保すれば、液体が流れる際、ドレンパン５ａからドレンパン５ｂへと逆流することなく、ドレンパン５ｂからドレンパン５ａへと自然な流れを形成することができる。
【００５５】
以下、同様にドレンパン５ｃ・・・と順次接続し、必要なレイアウトに応じた漏水処理装置を設ける。
【００５６】
その平面図が図２である。
図中の矢印は、ドレンパン上に生じた液体の流れである。
【００５７】
すなわち、上流側より順次、１０ａ、１０ｂ、１０ｃ、１０ｄとなるような流れを形成している。
【００５８】
この液体の流れ１０ａから１０ｄは、樋９に流れ込み、樋９の排水口１１から配水管１２を経由して近傍の柱１３に設けられた漏水検知手段１４へとつながっている。
【００５９】
また、図中１５ａ、１５ｂは、ドレンパン同士の重なりである。
この重なり１５ａ、１５ｂを十分確保することにより、特別な対応を施すことなく、流れる液体が逆流することを防止することが可能となる。
【００６０】
なお、実際の施工には、図３に示すようなＬ字状のガイド１６を支持具８ａ、８ｂ上に設けた方が、作業性は向上する。
【００６１】
このように設置した施設において、レイアウトの変更が発生したとする。
【００６２】
上記レイアウトの変更に対し、図４に示すように支持具を８ａ〜８ｅのように設置する。そして、各支持具８ａ〜８ｅ上にドレンパン５ａ〜５ｄを下流側から順に配置していく。
【００６３】
このようにすれば、即座にレイアウト変更に対応することが可能となる。
【００６４】
なお、図３に示すように、支持具８の吊下げ金具７は、吊下げ金具係止具１７に掛止した後、吊下げ金具係止具１７を建屋の天井に固定してもよいし、配管（図示せず）に係止してもよい。
【００６５】
また、直接、建屋の天井に固定具（図示せず）を設け、この固定具と接続することで、図のように配置することも可能である。
【００６６】
このように敷設できる漏水処理装置に使用するドレンパンについて、詳細を説明する。
図５に、略Ｖ字状部を連ねたドレンパンの断面図を示す。
【００６７】
図のように、略Ｖ字状部２１を連続して接合し、ドレンパン２０を形成する。
このドレンパン２０は、Ｌ字状のガイド１６を介してドレンパン台６上に配置され、吊下げ金具７にて所定位置に固定されている。
【００６８】
ドレンパン２０の上方には、配管２２（２２ａ、２２ｂ）が設けられており、配管内部を種々の目的に応じた液体が流れるようになっている。
【００６９】
今、この配管２２において、配管２２ａに傷が生じ、微量な液漏れが発生したとする。
【００７０】
漏れ出た液体２３ａは、ドレンパン２０の傾斜部２０ａ上に落下し（２３ｂ）、この傾斜部２０ａ上を滑って、谷部２０ｂに移動する。
【００７１】
谷部２０ｂに移動した液体は、蓄積されて大きくなり（２３ｃ）所定量を超えたところで、ドレンパン２０上を流れ出すことになる。
【００７２】
その後の流れについては、上述したとおりである。
【００７３】
このようなドレンパン２０において、略Ｖ字状部２１の角度Ａを、より鋭角気味にすれば、急峻なＶ字状となり、配管２２ａから液漏れが発生した場合に、その滴である液体２３ｂを集め易くなるという効果を期待できる。
【００７４】
その結果、より早く流れ出す量の液体２３ｃを集めることが可能となる。
【００７５】
一方、略Ｖ字状部２１の角度Ａを、より直角から鈍角気味にすれば、近傍を作業者（図示せず）が通った際に、ドレンパン２０を通して配管２２ａ、２２ｂを見た場合、その傾斜部２０ａの平面が水平に近くなるため、視認性が向上する。
【００７６】
その結果、天井や配管に亀裂や損傷が生じた場合、その損傷箇所をより速やかに発見することが期待できる。
【００７７】
なお、このドレンパン２０の材料としては、視認性を確保しつつ、敷設時の作業性や、材料の入手し易さなどの観点より、ポリカーボネイトが最適である。その他の材料としては、塩化ビニール、アクリルなどがよい。
【００７８】
上述したように、従来のごとく板金にてドレンパン１を構成していた場合、漏洩検知部１４に漏れ出した液体２３ｃが到達しないと、配管２２ａ、２２ｂに損傷が生じたことが判明しなかった。
【００７９】
しかしながら、本発明のように、ドレンパン２０を透明あるいは半透明の透過性材料で形成した場合、例えば、近くを通った作業者（図示せず）の直視による液体２３ｃの確認が可能である。また、上部から十分な光を確保できる環境下では、液体２３ｃが作り出す陰影による気付きを期待することもできる。
【００８０】
すなわち、ドレンパン２０に透明あるいは半透明の透過性材料を用いることで、配管や天井などの損傷、亀裂が軽微な状態、例えば、配管表面に筋が入ったり、亀裂の予兆が現れたり、あるいは、配管表面を断熱材などで覆っているような場合にはその表面ににじみが生じた段階での異常発生を確認することが可能となる。
【００８１】
その結果、多量の液漏れに至る前に配管の補修が可能となり、被害を最小限に食い止めることができる。
【００８２】
（実施例２）
次に、漏水センサーを設けた場合の実施例について説明する。
【００８３】
図６に、漏水センサーを用いた場合の断面図を、図７に、他の漏水センサーを用いた場合の斜視図を示す。
【００８４】
図６中、３０は漏水センサー、３１は漏水センサー３０によって検知した漏水検出情報を管理者に知らせるために演算処理する検出器である。
【００８５】
図に示すように、配管２２ａ、２２ｂ下の主要な谷部２０ｂに漏水センサー３０を各々配置する。
【００８６】
この状態で、例えば、配管２２ａに亀裂などの不具合が生じて漏水が発生したとする。
【００８７】
漏れ出た液体２３ａは、ドレンパン２０上に落下し、傾斜部２０ａ上を滑り落ちて（２３ｂ）谷部２０ｂに集まり、大きな滴である液体２３ｃを形作る。
【００８８】
この流れ易くなった液体２３ｃが流れる谷部２０ｂ上に漏水センサー３０が設けてあるので、速やかに漏水発生を検出することができる。
【００８９】
このとき、ドレンパン２０は透過性材料からなるため、ドレンパン２０を透して配管２２ａ、２２ｂを見れば、不具合箇所を容易に特定できる。
【００９０】
さらに、図７に示すような帯状の漏水センサー３２（３２ａ、３２ｂ、３２ｃ）を用いれば、ドレンパンを５ａから５ｃのように、所定間隔毎のブロック単位で漏水発生の有無を監視することができる。
【００９１】
つまり、ドレンパン５ｃからドレンパン５ａに向かって水が流れるように、ドレンパンに傾斜を持たせて敷設する。
【００９２】
このような状態で、漏水センサー３２ｂから漏水が発生したことを知らせる信号が検出器３１に伝えられたとする。一方で、漏水センサー３２ｃからは、漏水を知らせる信号は発生していないとすると、ドレンパン５ｂというブロックにて漏水が発生したことが容易に判断できる。
【００９３】
そして、透過性材料からなるドレンパン５ｂを透して配管（図示せず）を目視すれば、いずれの部位にてどのような不具合が発生したかを容易に確認することができる。
【００９４】
上述したブロック単位の漏水監視は、従来技術に比べ、特に配管が長い場合に効果的であるとともに、従来よりも少ない漏水センサーにて実現できるので、設置に要する費用を抑制することもできる。
【００９５】
なお、上記説明では、帯状の漏水センサーを用いて説明したが、図６で用いた漏水センサーを用いても同様の効果を得ることができるのは、いうまでもない。
【００９６】
また、図中３３に示すように、樋９中に漏水センサー３３を設けておけば、ドレンパン５ａから５ｃ上に設けた漏水センサー３２ａから３２ｃに断線などの不具合が発生していたとしても、漏水センサー３３が補助的に漏水発生を検出できる。
【００９７】
（実施例３）
さらに、漏水センサーを設けた場合の他の実施例について説明する。
【００９８】
図８、図９に、上流側ドレンパンの端部を下流側ドレンパンの所定の谷部上方に配置し、その所定の谷部に漏水センサーを設けた場合の平面図を示す。
【００９９】
図８、図９には、実施例１および２にて説明したものと同じ機能を有するものには、同じ符号を付与しており、その説明は上述した実施例１、２を援用する。図中３０は、漏水センサーである。
【０１００】
図に示すようにドレンパン５ｃの下流側端部が、下流側のドレンパン５ｂの所定の谷部２０ｈ上に設けられている。
【０１０１】
本構成とすることにより、例えば、ドレンパン５ｄの上方に配置されている配管（図示せず）から発生した漏水は、滴３４を形成し、液体の流れ１０ａから１０ｂ、１０ｃを経由して、ドレンパン５ａの谷部２０ｈへ導かれ、樋９へ向かう途中の漏水センサー３０によって検出される。
【０１０２】
なお、図９に示すように、漏水センサーは、３０に代えて３３のみの配置としてもよい。
【０１０３】
このように、あるドレンパン上に落ちた液体を、その下流側のドレンパンの所定の谷部に集約することにより、複数本の配管を設置するような場合でも、漏水センサーを設置する位置を工夫することにより、少ない個数の漏水センサーで漏水を検知することが可能となる。
【０１０４】
その結果、漏水センサーの個数を削減することができるとともに、その設置に要する工数も削減可能となるため、本施設を施工する際の工期を短縮することができる。
【０１０５】
しかも、施設稼動後においても、管理する漏水センサーの数が少ないため、その監視も容易となる。
【０１０６】
次に、図１０に、一端を他端より水平方向下方となるように設置したドレンパンの一端側端部に、ドレンパン上を流れてきた漏水を集約する樋を設け、この樋に漏水センサーを設けた場合の平面図、及び側面図を示す。
【０１０７】
まず、図に示す樋９ａ、９ｂについて説明する。
【０１０８】
これらの樋９ａ、９ｂには、下流側への排水口として各々３５ａ、３５ｂが設けてあり、樋９ａ、９ｂそのものには、この排水口３５ａ、３５ｂに向かって液体が集まるように傾斜が設けてあればよい。
【０１０９】
いま、図に示すように、ドレンパン５ｂ上方に配置した配管から漏水が発生したとする。
ドレンパン５ｂ上に落ちた液体は滴３４となり、液体の流れ１０ａ、１０ｂとなって、樋９ａに流れ込む。
【０１１０】
流れ込んだ液体は、樋９ａの形状に従い排水口３５ｂに向かって流れる（１０ｃ）。この排水口３５ｂ付近に漏水センサー３３ａを設けておけば、樋９ａ内に液体が流れ込んだ場合、漏水発生を検知することができる。
【０１１１】
そして、排水口３５ｂを経てドレンパン５ａ上に流れ出た液体は、液体の流れ１０ｄから１０ｆを構築しながら樋９へと流れ込む。
【０１１２】
その後、液体は樋９内を排水口１１に向かって移動し、排水口１１から外部へと排出される。
【０１１３】
このとき、樋９ｂに設けた漏水センサー３３ｂは、漏水発生箇所よりも上流側にあるため、なんら反応を示さない。
【０１１４】
すなわち、漏水センサー３３ｂが無反応で、漏水センサー３３ａが反応することから、ドレンパン５ｂ上方の配管部分にて漏水が発生したことを推測できる。
【０１１５】
つまり、本実施の形態を用いることにより、多数の配管を設置した場合においても、少ない漏水センサーにていずれのブロックにて漏水が発生したかを精度よく検知することが可能となる。
【０１１６】
（実施例４）
次に、ドレンパンの断面形状を変化させた他の実施例について説明する。
【０１１７】
図１１から図１３に、隣接する略Ｖ字状部、あるいは、略Ｖ字状部を構成する傾斜部の間に平面で構築した山部や谷部を設けた場合の実施例を示す。
【０１１８】
まず図１１に示すドレンパン２５は、隣接する略Ｖ字状部２１の山部２０ｄに平面を設けたものである。
【０１１９】
本実施例の特徴は、実施例１に記載した液体２３ｃの集め易さに加え、配管２２ａ、２２ｂに近接した位置に水平な平面を設けることにある。
【０１２０】
すなわち、不具合発生時に、屈曲の少ない平面が配管２２ａ、２２ｂ近傍にあるために、作業者がドレンパン２５を透して配管２２ａ、２２ｂを見易くなり、損傷箇所が見つけ易くなる、というものである。
【０１２１】
次に、図１２に示すドレンパン２６は、隣接する略Ｖ字状部２１の谷部間に平面を設けたものである。
【０１２２】
本実施例の特徴は、実施例１に記載した液体２３ｃの集め易さに加え、略Ｖ字状部２１間の谷間２０ｃに狭隘な形状を生じないことにある。
【０１２３】
つまり、ドレンパン２６を図のように配置した場合、谷部２０ｃの平面が広くなり、ほこりや塵などが堆積しても谷部２０ｃが詰まるようなことはない。
【０１２４】
従って、頻繁に配管２２ａ、２２ｂの状況確認を行わないような場所や、メンテナンス作業が困難な場所であれば、ほこりや塵などが堆積することに囚われることがなくなる。
【０１２５】
その結果、液体２３ｃの流れが阻害されることがなくなり、液体２３ｃの順調な流れを確保することが可能となる。
【０１２６】
その次に、図１３に示すドレンパン２７は、傾斜部２０ａの両端に平面を設け、一方を山部２０ｄ、他方を谷部２０ｃとした断面形状がコ字状となっている。
【０１２７】
本構成は、上述した図１１、図１２に示した実施例の両方の効果を併せ持っている。
【０１２８】
すなわち、山部２０ｄをなす平面が配管２２ａ、２２ｂ近傍に配設されるため、下方より作業者（図示せず）がドレンパン２７を通して見た場合、配管２２ａ、２２ｂが見易くなるので、配管表面ににじみが発生するなどの予兆を生じた場合、その発見が容易である。
【０１２９】
しかも、谷部２０ｃは平面で構成されるため、ほこりや塵の堆積による谷部２０ｃの詰まりが発生しにくくなるというものである。
【０１３０】
なお、図１４に示すように、隣接する傾斜部２０ａをつなぐ山部、谷部は上記以外の形状でも同様の効果を得ることができることは言うまでもない。
【０１３１】
（実施例５）
更に、他の実施例として、断面形状が曲線上の丸波板のドレンパンの場合について、説明する。
【０１３２】
図１５に示すドレンパン２９は、傾斜部２０ｅをＣ字状の曲線にて山部２０ｆと谷部２０ｇにて接合したものである。
【０１３３】
本実施例の特徴は、水平な平面を有しないため、漏れ出た液体２３ａがドレンパン２９上のいずれの位置に落下しても、ドレンパン２９の谷部２０ｇに液体が集まるとともに（２３ｃ）、谷部２０ｇに狭隘な部分が生じないため、ほこりや塵の堆積による谷部２０ｇの詰まりが発生しにくくなるというものである。
【産業上の利用可能性】
【０１３４】
本発明は、工場や地下通路などのように配管を敷設する場所では、同等の効果を得ることが期待できる。
【図面の簡単な説明】
【０１３５】
【図１】本発明の一実施例における漏水処理装置の斜視組立図
【図２】同一実施例における漏水処理装置の平面図
【図３】本発明の他の実施例における漏水処理装置の斜視組立図
【図４】同一実施例における漏水処理装置の平面図
【図５】本発明の他の実施例における漏水処理装置の鉛直断面図
【図６】本発明の他の実施例における漏水処理装置の鉛直断面図
【図７】本発明の他の実施例における漏水処理装置の斜視組立図
【図８】本発明の他の実施例における漏水処理装置の平面図
【図９】本発明の他の実施例における漏水処理装置の平面図
【図１０】本発明の他の実施例における漏水処理装置の概念図
【図１１】本発明の他の実施例における漏水処理装置の鉛直断面図
【図１２】本発明の他の実施例における漏水処理装置の鉛直断面図
【図１３】本発明の他の実施例における漏水処理装置の鉛直断面図
【図１４】本発明の他の実施例における漏水処理装置の鉛直断面図
【図１５】本発明の他の実施例における漏水処理装置の鉛直断面図
【図１６】従来の技術を表す漏水処理装置の斜視図
【符号の説明】
【０１３６】
５、２０、２５〜２９    ドレンパン
８    支持具
２０ａ、２０ｅ    傾斜部
２０ｈ    所定の谷部
２１    略Ｖ字状部
３０、３２ａ〜３２ｃ、３３、３３ａ、３３ｂ    漏水センサー
【図１】
2007132032.tif 000003
【図２】
2007132032.tif 000004
【図３】
2007132032.tif 000005
【図４】
2007132032.tif 000006
【図５】
2007132032.tif 000007
【図６】
2007132032.tif 000008
【図７】
2007132032.tif 000009
【図８】
2007132032.tif 000010
【図９】
2007132032.tif 000011
【図１０】
2007132032.tif 000012
【図１１】
2007132032.tif 000013
【図１２】
2007132032.tif 000014
【図１３】
2007132032.tif 000015
【図１４】
2007132032.tif 000016
【図１５】
2007132032.tif 000017
【図１６】
2007132032.tif 000018